(57)【特許請求の範囲】
【請求項１】
打設済みコンクリート壁の上面に連続して、壁面の一方側に張出部を有する堤趾導流壁を順次移動しながら施工するための足場一体型移動型枠装置であって、
前記打設済みコンクリート壁の張出部がわ壁面に対して、前記移動方向に所定の間隔でかつ所定区間に亘って設置される複数のブラケットと、
これらブラケット群の内、所定数のブラケット群間に移動方向に沿って架け渡されるとともに、分割可能とされる走行レールと、
この走行レールに沿って走行自在とされる張出部移動支保設備と、
前記打設済みコンクリートの非張出部がわ壁面に対して、前記移動方向に沿って移動可能に支持されるとともに、打設済みコンクリート壁の張出部がわ壁面において前記張出部移動支保設備によって支持されるフレーム体と、
前記フレーム体に設備される側面型枠および張出部下面型枠と、
前記フレーム体および／またはブラケットに取り付けられる足場とからなり、
前記ブラケットは前記フレーム体内にほぼ収まる区間に亘って設けられ、前記走行レールは各ブラケット間毎に分割可能とされ、前記フレーム体内に、最後部のブラケットを最前部まで移送可能なように平面視でコ字状を成す移送レールと、この移送レールに沿って走行自在のフック付き走行体と、このフック付き走行体に吊持される揚重器具とからなり、移動型枠の移動に伴って最後部に位置するブラケット及び走行レール部分を移動方向前方側に盛替えする盛替え設備を備えたことを特徴とする足場一体型移動型枠装置。
【請求項２】
打設済みコンクリート壁の上面に連続して、壁面の両側にそれぞれ張出部を有する堤趾導流壁を順次移動しながら施工するための足場一体型移動型枠装置であって、
前記打設済みコンクリート壁の両側にそれぞれ、前記移動方向に所定の間隔でかつ所定区間に亘って設置される複数のブラケットと、
これらブラケット群の内、所定数のブラケット群間に移動方向に沿って架け渡されるとともに、分割可能とされる走行レールと、
この走行レールに沿って走行自在とされる張出部移動支保設備と、
前記打設コンクリート壁の両側にそれぞれ配設された張出部移動支保設備によって支持されるフレーム体と、
このフレーム体に設備される側面型枠および張出部下面型枠と、
前記フレーム体および／またはブラケットに取り付けられる足場とからなり、
前記ブラケットは前記フレーム体内にほぼ収まる区間に亘って設けられ、前記走行レールは各ブラケット間毎に分割可能とされ、前記フレーム体内に、最後部のブラケットを最前部まで移送可能なように平面視でコ字状を成す移送レールと、この移送レールに沿って走行自在のフック付き走行体と、このフック付き走行体に吊持される揚重器具とからなり、移動型枠の移動に伴って最後部に位置するブラケット及び走行レール部分を移動方向前方側に盛替えする盛替え設備を備えたことを特徴とする足場一体型移動型枠装置。
【請求項３】
前記フレーム体は、コンクリート打設部分の上面を塞ぐ上型枠を備える請求項１、２いずれか記載の足場一体型移動型枠装置。
【請求項４】
前記型枠の内、少なくとも一部の型枠には型枠板をコンクリート面から剥離させる脱型機構を備えている請求項１〜３いずれかに記載の足場一体型移動型枠装置。
【発明の詳細な説明】
【０００１】
【発明の属する技術分野】
本発明は、張出部を有する堤趾導流壁を、基盤面等から組み立てた足場支保工無しに施工可能とした足場一体型移動型枠装置に関する。
【０００２】
【従来の技術】
例えば、図１０に示されるように、ダムの左岸側および右岸側に施工される堤趾導流壁では、導流壁の頂部に内側に逆Ｌ字状に張り出した波返し部５２が設けられる（図１１(B)参照）。
【０００３】
この波返し部５２の施工は、図１１に示されるように、既設コンクリート５３の両側にそれぞれ基盤面から組立・設置された足場支保工５４、５５を利用してパイプ支保工５６を組み、１回のコンクリート打設作業区間毎に、波返し部下面がわ型枠５７を設けるとともに、側面型枠等の型枠５８、５９を設け、これら型枠５７〜５９内部にコンクリートを流し込み、その後コンクリートの硬化を待って脱型を行い前記型枠５７〜５９を横移動させる繰り返しによって施工を行っていた。
【０００４】
【発明が解決しようとする課題】
しかしながら、上記従来方法（足場支保工）の場合には、足場支保工の容積が大きくなるとともに、設置期間も長期間となる。すなわち、図１１に示されるように、波返し部５２側では、非張出部側には１列の足場支保工で足りるのに対して、張出部側には複数列、図示例では３列の足場支保工が必要となる。
【０００５】
また、型枠転用時の横移動が非常に煩雑である。さらには、型枠、足場および支保工の組立・解体作業が人力による高所作業となるため、多くの人手と作業日数を要し、また危険作業が多くなる、などの問題があった。
【０００６】
そこで本発明の主たる課題は、既設コンクリートの上部に連続して、張出部を有する堤趾導流壁を施工するに当たり、足場工、型枠支保工、型枠工、鉄筋工およびコンクリート打設工などの一連の施工工程を、基盤面等から組み立てた足場支保工無しで施工できるようにした足場一体型移動型枠装置を提供することにある。
【０００７】
【課題を解決するための手段】
前記課題を解決するための本第１発明は、打設済みコンクリート壁の上面に連続して、壁面の一方側に張出部を有する堤趾導流壁を順次移動しながら施工するための足場一体型移動型枠装置であって、
前記打設済みコンクリート壁の張出部がわ壁面に対して、前記移動方向に所定の間隔でかつ所定区間に亘って設置される複数のブラケットと、
これらブラケット群の内、所定数のブラケット群間に移動方向に沿って架け渡されるとともに、分割可能とされる走行レールと、
この走行レールに沿って走行自在とされる張出部移動支保設備と、
前記打設済みコンクリートの非張出部がわ壁面に対して、前記移動方向に沿って移動可能に支持されるとともに、打設済みコンクリート壁の張出部がわ壁面において前記張出部移動支保設備によって支持されるフレーム体と、
前記フレーム体に設備される側面型枠および張出部下面型枠と、
前記フレーム体および／またはブラケットに取り付けられる足場とからなり、
前記ブラケットは前記フレーム体内にほぼ収まる区間に亘って設けられ、前記走行レールは各ブラケット間毎に分割可能とされ、前記フレーム体内に、最後部のブラケットを最前部まで移送可能なように平面視でコ字状を成す移送レールと、この移送レールに沿って走行自在のフック付き走行体と、このフック付き走行体に吊持される揚重器具とからなり、移動型枠の移動に伴って最後部に位置するブラケット及び走行レール部分を移動方向前方側に盛替えする盛替え設備を備えたことを特徴とするものである。
【０００８】
また、本第２発明は、打設済みコンクリート壁の上面に連続して、壁面の両側にそれぞれ張出部を有する堤趾導流壁を順次移動しながら施工するための足場一体型移動型枠装置であって、
前記打設済みコンクリート壁の両側にそれぞれ、前記移動方向に所定の間隔でかつ所定区間に亘って設置される複数のブラケットと、
これらブラケット群の内、所定数のブラケット群間に移動方向に沿って架け渡されるとともに、分割可能とされる走行レールと、
この走行レールに沿って走行自在とされる張出部移動支保設備と、
前記打設コンクリート壁の両側にそれぞれ配設された張出部移動支保設備によって支持されるフレーム体と、
このフレーム体に設備される側面型枠および張出部下面型枠と、
前記フレーム体および／またはブラケットに取り付けられる足場とからなり、
前記ブラケットは前記フレーム体内にほぼ収まる区間に亘って設けられ、前記走行レールは各ブラケット間毎に分割可能とされ、前記フレーム体内に、最後部のブラケットを最前部まで移送可能なように平面視でコ字状を成す移送レールと、この移送レールに沿って走行自在のフック付き走行体と、このフック付き走行体に吊持される揚重器具とからなり、移動型枠の移動に伴って最後部に位置するブラケット及び走行レール部分を移動方向前方側に盛替えする盛替え設備を備えたことを特徴とするものである。
【０００９】
これら第１発明および第２発明において、既設コンクリート壁の天端が傾斜しているような場合には、前記フレーム体にコンクリート打設部分の上面を塞ぐ上型枠を設けることが望ましい。また、コンクリート硬化後の脱型を容易化するために、前記型枠の内、少なくとも一部の型枠には該型枠をコンクリート面から剥離させる脱型機構を備えていることが望ましい。
【００１０】
本発明装置は、打設済みコンクリート壁の頂部に、側方に張り出した張出部を含む堤趾導流壁を効率的に施工可能とするために、施工に必要な型枠、足場等の設備を一体的に備えるフレーム体と共に、張出部下面がわ型枠を支持するための張出部移動支保設備を順次、ブラケットおよびブラケット間レール部分の盛替えと共に移動可能としたものであり、本装置によれば、足場工、型枠支保工、型枠工、鉄筋工およびコンクリート打設工などの一連の施工工程を基盤面等から組み立てた足場支保工無しで施工できるようになる。
【００１１】
【発明の実施の形態】
以下、本発明の実施の形態について図面を参照しながら詳述する。
【００１２】
〔第１形態例〕
図１は本発明に係る足場一体型移動型枠装置１の側面図、図２はその平面図、図３及び図４はその横断面図である。
【００１３】
足場一体型移動型枠装置１は、図３に示されるように、打設済みコンクリート壁３０の上面に連続して、逆Ｌ字状に側方に張り出した張出部３１ａを含むコンクリート頂壁部（堤趾導流壁）３１を順次移動しながら施工するための装置であって、足場工、型枠支保工、型枠工、鉄筋工およびコンクリート打設工などの一連の施工工程を、基盤面等から組み立てた足場支保工無しで施工できるようにしたものである。
【００１４】
以下、具体的に詳述すると、
前記足場一体型移動型枠装置１（以下、単に移動型枠という。）は、前記打設済みコンクリート壁３０の張出部がわ壁面に対して、移動方向に所定の間隔でかつ所定区間に亘って設置される複数のブラケット群２１〜２８と、これらブラケット群２１〜２８間に移動方向に沿って架け渡されるとともに、各ブラケット間２ｎ、２ｎ＋１毎に分割可能とされる走行レール３Ａ、３Ｂと、この走行レール３Ａ、３Ｂに沿って走行自在とされる張出部移動支保設備４と、前記打設済みコンクリート３０の非張出部がわ壁面に対して、前記移動方向に沿って移動可能に支持されるとともに、打設済みコンクリート壁３０の張出部がわ壁面において前記張出部移動支保設備４によって支持される、型枠６Ａ〜６Ｅ、足場７Ａ〜７Ｃ、ブラケット２ｎおよび走行レール３Ａ、３Ｂの盛替え設備８などを備えるフレーム体５と、から主に構成される装置である。
【００１５】
前記ブラケット２１〜２８は、図１に示されるように、既設コンクリート壁３０に対してアンカーなどの固定具によって支持された骨組構造のブラケットであり、移動方向、具体的には既設コンクリート壁３０の天端に沿う方向に所定の間隔で、かつ前記フレーム体５内にほぼ収まる区間に亘って設けられている。このブラケット群２１〜２８の内、ブラケット２２〜２８間には、移動型枠装置１の移動方向に沿って２条の走行レール３Ａ、３Ｂが架け渡されているとともに、足場７Ａが架け渡されている。なお、前記走行レール３Ａ、３Ｂは、各ブラケット間２ｎ、２ｎ＋１毎に分割可能となっている。なお、前記走行レール３Ａ、３Ｂは各ブラケット支間毎ではなく、任意長さ毎に分割可能となっていてもよい。
【００１６】
前記走行レール３Ａ、３Ｂには、該走行レール３Ａ、３Ｂに沿って走行自在とされる張出部移動支保設備４が設けられている。この張出部移動支保設備４は、２条のＨ桁１６Ａ、１６Ｂからなる支持桁１６の前部側位置および後部側位置にそれぞれ、下端にローラ１０ａ（１０ｂ）を有するとともに、伸縮自在の走行脚１０Ａ、１０Ｂを備える。また、これら走行脚１０Ａ、１０Ｂの間に、複数の、図示例では３本の支持脚１１、１１…を備えている。これら各支持脚１１、１１…は、昇降操作ハンドル１１ａの回転操作により昇降自在とされる接地板１２を備え、前記張出部移動支保設備４が移動する場合には、前記支持脚１１、１１…を走行レール３Ａ、３Ｂから離間させ、前記張出部移動支保設備４が所定位置に定位する場合には、前記支持脚１１、１１…が下降操作され、前記接地板１２が走行レール３Ａ、３Ｂに接地して張出部下面がわ型枠６Ｃを支持するようになっている。なお、前記張出部移動支保設備４の移動操作は、前記走行脚１０Ａ、１０Ｂ間に架け渡された側枠１３、１３側に一端が連結されるとともに、所定のブラケット２ｎ（同図ではブラケット２４）に連結された推進ジャッキ１４の伸縮操作により成される。また、前記支持桁１６の上面はフレーム体５と連結されており、張出部移動支保設備４を移動させることにより、移動型枠１が移動可能となっている。
【００１７】
前記フレーム体５は、前記打設済みコンクリート壁３０の非張出部がわ壁面に移動方向に沿って設けられたスライドガイドレール１７を支持部材として移動可能に支持されるとともに、打設済みコンクリート壁３０の張出部がわ壁面において前記張出部移動支保設備４によって支持されている。このフレーム体５は、構築されるコンクリート頂壁部３１の一方側側面から他方がわ側面に至る周囲をカバーする上部フレーム体５Ａと、この上部フレーム体５Ａに連続するとともに、コンクリート張出部３１ａの底面及びＬ字コーナー部をカバーする下部フレーム体５Ｂとからなるフレーム枠であり、前記非張出部がわ壁面に上下方向に３段からなる足場を有するステップ足場７Ｂが一体的に設けられているとともに、張出部がわ壁面にステップ足場７Ｃが一体的に設けられている。
【００１８】
また、前記フレーム体５には、側面型枠６Ａ、６Ｂ、張出部下面型枠６Ｃ、前記張出部下面型枠６Ｃから連続するＬ字コーナー部型枠６Ｄを備えるとともに、コンクリート打設部分の上面を塞ぐ上型枠６Ｅを備えている。これら各型枠６Ａ〜６Ｅは、コンクリート硬化後にコンクリート面からの剥離が容易に行えるよう脱型機構を備えている。すなわち、前記側面型枠６Ａは、取付けボルト１８、１８…の回転操作によってコンクリート面から剥離可能となっているとともに、上型枠６Ｅはフレーム体５側に一端が連結されるとともに、他端が上型枠６Ｅに連結された脱型用ジャッキ１９によってコンクリート面から剥離可能とされ、前記Ｌ字コーナー部型枠６Ｄは前記張出部移動支保設備４に一端が連結された脱型用ジャッキ２０によってコンクリート面から剥離可能となっている。なお、前記側面型枠６Ｂおよび前記張出部下面型枠６Ｃは張出部移動支保設備４の走行脚１０Ａ、１０Ｂを収縮させ、フレーム体５全体を下降させることによって脱型が容易に行えるようになっている。この場合、フレーム体５のスライドガイドレール１７側には、フレーム体５が上下移動できるように、縦フレームの途中に伸縮ジャッキ２９を介在させている。
【００１９】
なお、前記側面型枠６Ｂに横送り機構（図示せず）を付加し、前記側面型枠６Ｂをコンクリート面から離間方向に移動できるようにすれば、脱型が容易になるとともに、フレーム体５の移動が容易に行えるようになる。また曲線施工にも柔軟に対応できるようになる。前記上型枠６Ｅについては、張出部３１ａの上面がフラットな場合は省略可能である。
【００２０】
また、前記下部フレーム体５Ｂには、移動方向後方側のブラケット２８およびブラケット間走行レール３８を移動方向前方側に盛替えするための盛替え設備８が設けられている。この盛替え設備８は、図２に示されるように、最後部のブラケット２８を最前部まで移送可能なように平面視でコ字状を成す移送レール２１と、この移送レール２１に沿って走行自在のフック付き走行体２２と、このフック付き走行体２２に吊持されるチェーンブロック等の揚重器具（図示せず）と、からなる移送設備で、移動型枠１の移動に伴って最後部に位置するブラケット２８が移動方向前方側に盛替えられるとともに、最後部に位置するブラケット間走行レール部分３８が移動方向前方側に盛り替えられる。なお、フレーム体５には、前記各種油圧ジャッキ１４、１９、２０を駆動するための油圧ポンプ駆動用発電装置２４が搭載されている。
【００２１】
次いで、前述した移動型枠１を用いてコンクリート頂壁部を施工する手順について図５のフロー図に基づいて詳述する。
【００２２】
先ず、コンクリート頂壁部３１へのコンクリート打設が完了し各型枠６Ａ〜６Ｅの脱型を終えたならば、移動型枠１の移動を行う。移動型枠１の移動は、最後部に位置するブラケット２８およびブラケット間走行レール３８部分を前記ブラケット盛替え設備８によって移動方向前方側に盛替えたならば、ブラケット２、２の１スパン距離分だけ移動型枠１と共に張出部移動支保設備４を前方側に移動させる。この作業を複数回、本例では５回繰り返して移動型枠１を次のコンクリート頂壁部３１の施工位置まで移動させる。なお、この際、前記推進ジャッキ１４も適時盛替えが行われる。
【００２３】
移動型枠１を次施工場所まで移動させたならば、支持脚１１、１１…を伸長させて張出部移動支保設備４を固定し張出部下面がわ型枠６Ｃを支持するとともに、脱型用ジャッキ２０を伸長させてＬ字コーナー部型枠６Ｄを正規の状態に固定保持する。さらに、側面型枠６Ａを所定の位置に固定するとともに、側面型枠６Ｂとセパレータ２３、２３によって連結し固定を図る。
【００２４】
次いで、型枠内部で鉄筋の組立を行った後、上型枠６Ｅにより上面を塞ぐとともに、前記上型枠６Ｅにコンクリート打設のために形成した開口からコンクリートを流し込み、その後コンクリートの硬化を待って脱型を行う。
【００２５】
以上の施工工程を順に繰り返すことにより、既設コンクリート壁３０の上面に連続して、張出部３１ａを有するコンクリート頂壁部３１を足場支保工無しに効率的に構築することが可能となる。。
【００２６】
ところで、上記移動型枠１は、既設コンクリート壁３０の天端が水平の場合の構造例を示したものであるが、前記既設コンクリート壁３０の天端に傾斜があるような場合には、図６に示されるように、一部に変更を加えた移動型枠１Ｂが好適に使用される。この移動型枠１Ｂでは、傾斜に対応するようにフレーム体５の形状に変更を加えるとともに、張出部移動支保設備４の逸走防止のための側枠１３の後端部と走行レール３Ａ、３Ｂ間に逸走防止ジャッキ２６を介在させている。この逸走防止ジャッキ２６は、側枠１３側に一端が連結されるとともに、他端側に係合部２６ａを有する部材で、走行レール３Ａ、３Ｂを連結している連結バー２７に対して前記係合部２６ａを係合させることにより、張出部移動支保設備４の逸走を防止するようにしてある。また、前記張出部移動支保設備４の支持脚１１、１１…の接地板１２、１２…は、それぞれレール傾斜面に対して均等に接地するように側面視で三角形状となっている。これ以外の構造については、前述の移動型枠１と同様であるため、同符号を付して説明は省略する。
【００２７】
〔第２形態例〕
本第２形態例では、逆Ｔ字状に両側に張出部３１ａ、３１ａを有するコンクリート頂壁部３１を施工するための移動型枠１Ｃについて、図７〜図９に基づいて詳述する。
【００２８】
打設済みコンクリート壁３０の両側にそれぞれ、移動方向に所定の間隔でかつ所定区間に亘って設置される複数のブラケット群２１〜２８と、ブラケット間２２〜２８に移動方向に沿って架け渡されるとともに、各ブラケット間２ｎ、２ｎ＋１毎に分割可能とされる走行レール３Ａ、３Ｂと、この走行レール３Ａ、３Ｂに沿って走行自在とされる張出部移動支保設備４とを設け、前記既設コンクリート壁３０の両側に配置される前記張出部移動支保設備４、４によって支持される、型枠６Ｂ〜６Ｄ、６Ｅ、足場７Ａ・７Ｃ、ブラケット２ｎおよび走行レール３Ａ、３Ｂの盛替え設備８などを備えるフレーム体５と、から主に構成される型枠装置である。すなわち、前記第１形態例における張出部３１ａ側部分の構造を左右対称配置で設けた構造となっている。
【００２９】
それぞれの構造については、第１形態例で説明済みであるため同符号を付して省略するが、移動型枠１Ｃの移動に際しては、左右両側で併行してブラケット２８およびブラケット間走行レール３８の盛替えを行い、フレーム体５の移動も推進ジャッキ１４、１４を同調的に連動操作して移動させる必要がある。
【００３０】
以上、本発明移動型枠１〜１Ｃについて詳述したが、施工対象は前述のダム導流壁の波返し部以外に、足場の据え付けが困難な箇所、例えば海工事、山間工事、高架橋、建築物などの張出構造部分を持つコンクリート壁の施工、リニューアル工事における架空足場を必要とする場合などにおいても同様に適用することが可能である。
【００３１】
【発明の効果】
以上詳説のとおり本発明によれば、既設コンクリートの上部に、張出部を有する堤趾導流壁を施工するに当たり、足場工、型枠支保工、型枠工、鉄筋工およびコンクリート打設工などの一連の施工工程を、基盤面等から組み立てた足場支保工無しで施工できるようになる。
【図面の簡単な説明】
【図１】  第１形態例に係る本発明の足場一体型移動型枠装置１の側面図である。
【図２】  その平面図である。
【図３】  その横断面図（図１のIII−III線矢視図）である。
【図４】  その横断面図（図１のIV−IV線矢視図）である。
【図５】  コンクリート頂壁部の施工フロー図である。
【図６】  傾斜方向に沿ってコンクリート頂壁部を施工する場合の移動型枠１Ｂの側面図である。
【図７】  両側に張出部を有する場合の移動型枠１Ｃの平面図である。
【図８】  その横断面図（その１）である。
【図９】  その横断面図（その２）である。
【図１０】  導流壁５１を有するダムの縦断面図である。
【図１１】  導流壁５１の波返し部５２を足場支保工によって施工する場合の(A)は側面図、(B)は断面図である。
【符号の説明】
１・１Ｂ・１Ｃ…移動型枠、２１〜２８…ブラケット、３Ａ・３Ｂ…走行レール、４…張出部移動支保設備、５…フレーム体、５Ａ…上部フレーム体、５Ｂ…下部フレーム体、６Ａ〜６Ｅ…型枠、７Ａ〜７Ｃ…足場、８…盛替え設備
【図１】
0004570063.tif 000002
【図２】
0004570063.tif 000003
【図３】
0004570063.tif 000004
【図４】
0004570063.tif 000005
【図５】
0004570063.tif 000006
【図６】
0004570063.tif 000007
【図７】
0004570063.tif 000008
【図８】
0004570063.tif 000009
【図９】
0004570063.tif 000010
【図１０】
0004570063.tif 000011
【図１１】
0004570063.tif 000012